(57)【特許請求の範囲】
【請求項１】
対向する一対の挟持部を有する魚釣用プライヤーに於て、
上記挟持部の一方に、所定の間隔を空けて挟持部の幅方向に対向配置され、先端の稜線が挟持部の幅方向に延びる一対のＶ字状の爪を他方の挟持部方向へ突設し、
両挟持部を閉じた際に、対向する上記爪の間に他方側の挟持部を挿入可能としたことを特徴とする魚釣用プライヤー。
【請求項２】
対向配置された一対の上記爪の間に挿入可能な他方の上記挟持部に、両挟持部を閉じた際に当該爪の間に挿入可能な先端の稜線が挟持部の幅方向に延びるＶ字状の爪を突設したことを特徴とする請求項１記載の魚釣用プライヤー。
【請求項３】
両挟持部の少なくともいずれか一方に、スプリットリング保持用の溝を設けたことを特徴とする請求項１または請求項２記載の魚釣用プライヤー。
【発明の詳細な説明】
【０００１】
【発明の属する技術分野】
本発明は、釣針の交換やオモリの脱着，ラインの切断等に使用する魚釣用プライヤー（以下、「プライヤー」という）に関する。
【０００２】
【従来の技術】
従来、魚釣りに於て、仕掛けやルアーの釣針の取付けにスプリットリングが使用されている。
図１９に示すようにスプリットリング１は、弾力性の強い鋼線３をコイル状に密着させて二重巻きにしたものである。そして、釣針の止着や交換に際し、スプリットリング１を開くためにプライヤーが使用されている。
【０００３】
図２０乃至図２２は特開平１１−１３８４６３号公報に開示されたプライヤー、そして、図２３乃至図２６は特開２０００−２５３７８９号公報に開示されたプライヤーを示し、図２１に示すように前者のプライヤー５は、対向する一対の挟持部７，９の一方（挟持部７）に、他方の挟持部９に向けて突出する爪１１をその先端に設け、そして、挟持部９の長さを挟持部７より長く設定すると共に、挟持部９側に、両挟持部７，９を閉じたときに爪１１が収まる凹溝１３を幅方向に沿って設けたものである。
【０００４】
そして、プライヤー５のハンドル部１５，１７を一方の手で開き状態に保持し、他方の手の指先でスプリットリング１を保持し乍ら、爪１１をスプリットリング１の二重巻きの間に当てて両挟持部７，９を閉じれば、図２２に示すように爪１１が二重巻きされた鋼線３の間に押し込まれて、スプリットリング１の端部１９，２１を押し広げることができるようになっている。
【０００５】
また、図２３に示す後者のプライヤー２３は、図２４及び図２５に示すように対向する一対の挟持部２５，２７の先端に、両挟持部２５，２７の閉じる方向に尖った一対の爪２９，３１を、両挟持部２５，２７を閉じたときに並列する配置で突設すると共に、両爪２９，３１の根本部分にスプリットリング１の係合凹部３３，３５を夫々形成したことを特徴としている。
【０００６】
そして、スプリットリング１を開くに当たり、ハンドル部３７，３９を一方の手で開き状態に保持し、そして、他方の手の指先でスプリットリング１を保持し乍ら、図２５の如くハンドル部３７，３９を軽く閉じて接近した爪２９，３１の先端でスプリットリング１の二重巻き間を軽く挟んだ後、スプリットリング１から手を離した状態でハンドル部３７，３９を強く握って両挟持部２５，２７を閉じれば、図２６に示すように爪２９，３１が二重巻きされた鋼線３の間に押し込まれて、鋼線３の間を両側から同時に押し広げることができるようになっている。
【０００７】
【発明が解決しようとする課題】
而して、図２０に示すプライヤー５は、既述したように一方の挟持部９の長さを他方の挟持部７より長く設定したことで、当該挟持部９が二重巻きされたスプリットリング１の鋼線３の内周を支持するため、図２２に示すようにスプリットリング１は挟持部９の長さ方向に水平状態で保持されて開かれることとなる。
【０００８】
しかし、このプライヤー５は、図２２の如く挟持部７側には爪が一つしかなく、爪１１の前後の傾斜部がスプリットリング１を保持する構造上、爪１１を有する挟持部７側の保持が不安定となり、釣針の止着時や交換時にスプリットリング１に力が掛かると、スプリットリング１が軸方向（図中、矢印方向）にぐらつき易い欠点があった。
【０００９】
そして、斯様にスプリットリング１が軸方向にぐらついてしまうと、釣針の止着作業等がし難いといった不具合が指摘されている。
また、図２３に示すプライヤー２３にあっては、図２６に示すように両挟持部２５，２７によるスプリットリング１の挟持箇所が１カ所であるため、釣針の止着や交換時にスプリットリング１に力が掛かると、スプリットリング１が軸方向に傾いてしまい、この結果、いずれのプライヤー５，２３も、釣針の止着や交換時にスプリットリング１を開いた状態で安定して保持することができなかった。
【００１０】
本発明は斯かる実情に鑑み案出されたもので、釣針の止着や交換時に、スプリットリングを開いた状態で安定して保持することのできるプライヤーを提供することを目的とする。
【００１１】
【課題を解決するための手段】
斯かる目的を達成するため、請求項１に係る発明は、対向する一対の挟持部を有するプライヤーに於て、上記挟持部の一方に、所定の間隔を空けて挟持部の幅方向に対向配置され、先端の稜線が挟持部の幅方向に延びる一対のＶ字状の爪を他方の挟持部方向へ突設し、両挟持部を閉じた際に、対向する上記爪の間に他方側の挟持部を挿入可能としたことを特徴とする。
【００１２】
そして、請求項２に係る発明は、請求項１記載のプライヤーに於て、対向配置された一対の上記爪の間に挿入可能な他方の上記挟持部に、両挟持部を閉じた際に当該爪の間に挿入可能な先端の稜線が挟持部の幅方向に延びるＶ字状の爪を突設したことを特徴とする。
【００１３】
（作用）
請求項１に係る発明によれば、スプリットリングを開く際に、手の指先でスプリットリングを保持し乍ら、爪の先端をスプリットリングの二重巻きの間に当てて両挟持部を閉じれば、爪が二重巻きの間に押し込まれて二重巻きされた鋼線の間が押し広げられることとなる。
そして、この時、鋼線は挟持部の対向面と一対のＶ字状の爪の上下の傾斜面、及び他方の挟持部の対向面とで挟持されて、都合６カ所でスプリットリングが両挟持部の長さ方向に水平状態保持されることとなる。
また、一対の上記爪が、間隙だけ離れた位置で夫々鋼線の間を押し広げる。
このため、釣針の止着や交換時にスプリットリングに力が掛かっても、スプリットリングは軸方向に傾くことなく両挟持部間に確実に保持される。
【００１４】
また、請求項２に係る発明によれば、スプリットリングを開く際に、手の指先でスプリットリングを保持し乍ら、両挟持部に設けたＶ字状の爪をスプリットリングの内と外に位置させ、そして、接近した爪と爪の先端でスプリットリングの内外から二重巻き間を軽く挟んだ後、両挟持部を閉じれば、内外の爪が二重巻きの間に押し込まれて、二重巻きされた鋼線の間が両側から同時に押し広げられることとなる。
そして、この時、両挟持部の爪が間隙だけ離れた位置で夫々鋼線の間を押し広げ、一方の挟持部の爪の傾斜面と他方の挟持部の爪の上側の傾斜面との間で鋼線が保持されると共に、溝内で鋼線が両挟持部の対向面で挟持されて、都合４カ所でスプリットリングが両挟持部の長さ方向に水平状態で保持されることとなる。
このため、釣針の止着や交換時にスプリットリングに力が掛かっても、スプリットリングが軸方向に傾くことなく両挟持部間に確実に保持される。
そして、請求項３に係る発明によれば、スプリットリングが溝に入り込んで安定して保持されることとなる。
【００１５】
【発明の実施の形態】
以下、本発明の実施形態を図面に基づき詳細に説明する。
【００１６】
図１乃至図７は請求項１に係るプライヤーの一実施形態を示し、図中、４１はステンレス鋼等の金属材料からなる一対の杆体４３，４５を、支軸４７を介して回動自在に組み合わせて形成されたプライヤーで、従来と同様、対向する一対の挟持部４９，５１が先端側に形成され、後部側（手元側）にハンドル部５３，５５が形成されており、両ハンドル部５３，５５の開閉によって両挟持部４９，５１が開閉するようになっている。そして、両ハンドル部５３，５５には樹脂製のカバー５７が装着されており、当該カバー５７によって操作時にソフトな感触が得られるようになっている。
【００１７】
而して、図２に示すように上記杆体４３は、挟持部４９からハンドル部５３に亘り同一幅を以って形成されている。そして、図３及び図５に示すように挟持部４９の先端の対向面４９ａに、他方の挟持部５１方向へＶ字状に突出する２つの同一形状の爪５９，６１が、所定の間隙６３を開けて挟持部４９の幅方向に対向配置されている。また、爪５９，６１の先端の稜線は挟持部４９の幅方向に延びている。
【００１８】
一方、図２に示すように他方の杆体４５は、ハンドル部５５に比し挟持部５１側が先細なラジオペンチ状に形成されている。そして、両ハンドル部５３，５５を握って両挟持部４９，５１を閉じると、図２及び図５に示すように挟持部５１の先端側が爪５９，６１との間に若干の隙間を開けて間隙６３に差し込まれて、両挟持部４９，５１が互いに接合するようになっており、図６に示すように両挟持部４９，５１（両杆体４３，４５）の先端は一致した寸法となっている。
【００１９】
尚、挟持部５１を挟持部４９に向けて幅狭となるように形成してもよい。
そして、釣針の止着や交換に際し、図４及び図７の如く上記プライヤー４１でスプリットリング１を開くと、鋼線３は、挟持部５１の対向面５１ａと爪５９，６１の上下の傾斜面５９ａ，５９ｂ，６１ａ．６１ｂ及び挟持部４９の対向面４９ａとで挟持されて、合計６カ所でスプリットリング１がプライヤー４１に圧接して保持されるようになっている。
【００２０】
その他、図１中、６５は両挟持部４９，５１の対向面に形成されたテグス切りである。
本実施形態に係るプライヤー４１はこのように構成されているから、スプリットリング１を開くには、プライヤー４１のハンドル部５３，５５を一方の手で開き状態に保持し、そして、他方の手の指先でスプリットリング１を保持し乍ら、爪５９，６１の先端をスプリットリング１の二重巻きの間に当てて両挟持部４９，５１を閉じれば、図４に示すように爪５９，６１が二重巻きの間に押し込まれて、二重巻きされた鋼線３の間が押し広げられることとなる。
【００２１】
そして、既述したようにこの時、鋼線３は、挟持部５１の対向面５１ａと爪５９，６１の上下の傾斜面５９ａ，５９ｂ，６１ａ．６１ｂ及び挟持部４９の対向面４９ａとで挟持されて、都合６カ所でスプリットリング１が両挟持部４９，５１の長さ方向に水平状態で保持されることとなる。
【００２２】
また、挟持部４９の一対の爪５９，６１が、間隙６３だけ離れた位置で夫々鋼線３の間を押し広げる。
このため、釣針の止着や交換時にスプリットリング１に力が掛かっても、スプリットリング１は軸方向に傾くことなく両挟持部４９，５１間に確実に保持される。
【００２３】
従って、本実施形態に係るプライヤー４１によれば、挟持部４９の一対の爪５９，６１が間隙を以って夫々スプリットリング１の二重巻きされた鋼線３の間を押し広げ、また、図１９以下の従来例に比し多くの部位でスプリットリング１がプライヤー４１に圧接して保持されるため、斯かる従来例に比し釣針の止着や交換時にスプリットリング１が容易に開き、そして、スプリットリング１をぐらつくことなく開いた状態で安定して保持することができ、作業性の向上が図れることとなった。
【００２４】
図８乃至図１４は請求項１乃至請求項３に係るプライヤーの第一実施形態を示し、図中、４１-1は図１のプライヤー４１と同様、ステンレス鋼等の金属材料からなる一対の杆体４３-1，４５-1を、支軸４７を介して回動自在に組み合わせて形成されたプライヤーで、対向する一対の挟持部４９-1，５１-1が先端側に形成され、そして、後部側にハンドル部５３-1，５５-1が形成されており、両ハンドル部５３-1，５５-1の開閉で両挟持部４９-1，５１-1が開閉するようになっている。そして、両ハンドル部５３-1，５５-1には、夫々、カバー５７が装着されている。
【００２５】
而して、図９に示すように上記杆体４３-1は、図２の杆体４３と同様、挟持部４９-1からハンドル部５３-1に亘って同一幅で形成されている。そして、図１０及び図１２に示すように挟持部４９-1の先端の対向面４９ａ-1に、他方の挟持部５１-1方向にＶ字状に突出する２つの爪５９，６１が、挟持部４９-1の幅方向に所定の間隙６３を開けて対向配置されている。
【００２６】
一方、図２の杆体４５と同様、他方の杆体４５-1は図９に示すようにハンドル部５５-1に比し挟持部５１-1側が先細なラジオペンチ状に形成されている。そして、両ハンドル部５３-1，５５-1を握って両挟持部４９-1，５１-1を閉じると、図９及び図１２に示すように間隙６３に挟持部５１-1の先端側が挿入されるように構成されているが、図１０及び図１３に示すように挟持部５１-1の先端には、挟持部４９-1方向に略Ｖ字状に突出する１つの爪６７が設けられ、その頂部の稜線は挟持部５１-1の幅方向に延びている。
【００２７】
そして、挟持部４９-1の背面側先端は開口しており、上述したように両ハンドル部５３-1，５５-1を握って両挟持部４９-1，５１-1を閉じると、爪６５が挟持部４９-1の背面側先端に衝突することなく両挟持部４９-1，５１-1が互いに接合するようになっている。
また、図８及び図９に示すように挟持部４９-1の対向面４９ａ-1には、爪５９，６１に隣接してスプリットリング保持用の溝６９が挟持部４９-1の幅方向に設けられている。そして、図１１及び図１４に示すようにプライヤー４１-1でスプリットリング１を開くと、爪５９，６１の傾斜面５９ａ，６１ａと爪６７の上側の傾斜面６７ａで鋼線３が保持されると共に、上記溝６９内で鋼線３が両挟持部４９-1，５１-1で挟持され、合計４カ所でスプリットリング１がプライヤー４１-1に圧接して保持されるようになっている。
【００２８】
本実施形態はこのように構成されているから、スプリットリング１を開くには、プライヤー４１-1のハンドル部５３-1，５５-1を一方の手で開き状態に保持し、他方の手の指先でスプリットリング１を保持し乍らハンドル部５３-1，５５-1を軽く閉じて、爪５９，６１と爪６７をスプリットリング１の内と外に位置させ、そして、接近した爪５９，６１と爪６７の先端でスプリットリング１の内外から二重巻き間を軽く挟んだ後、スプリットリング１から手を離した状態でハンドル部５３-1，５５-1を強く握って両挟持部４９-1，５１-1を閉じれば、図１１に示すように爪５９，６１，６７が二重巻きの間に押し込まれて、二重巻きされた鋼線３の間が両側から同時に押し広げられることとなる。
【００２９】
そして、既述したようにこの時、爪５９，６１が間隙６３だけ離れた位置で夫々鋼線３の間を押し広げ、爪５９，６１の傾斜面５９ａ，６１ａと爪６７の上側の傾斜面６７ａとの間で鋼線３が保持されると共に、上記溝６９内で鋼線３が両挟持部４９-1，５１-1の対向面４９ａ-1，５１ａ-1で挟持されて、都合４カ所でスプリットリング１が両挟持部４９-1，５１-1の長さ方向に水平状態で保持されることとなる。
【００３０】
このため、釣針の止着や交換時にスプリットリング１に力が掛かっても、スプリットリング１が軸方向に傾くことなく両挟持部４９-1，５１-1間に確実に保持される。
従って、本実施形態に係るプライヤー４１-1によっても、図１９以下の従来例に比し多くの部位でスプリットリング１がプライヤー４１-1に圧接して保持されるため、釣針の止着や交換時にスプリットリング１が容易に開き、そして、スプリットリング１を開いた状態で安定して保持することが可能となって、図１９以下の従来例に比し作業性の向上が図れることとなった。
【００３１】
而も、本実施形態によれば、両挟持部４９-1，５１-1に爪５９，６１，６７を設けたため、図１のプライヤー４１に比しスプリットリング１をその内外から容易に開くことができる利点を有する。
図１５及び図１６は請求項１乃至請求項３に係るプライヤーの第二実施形態を示し、図示するように本実施形態に係るプライヤー４１-2は、図８に示すプライヤー４１-1の構成に加え、挟持部５１-2に設けた爪６７の先端側に突出部７１を挟持部５１-2の長さ方向に延設して、当該挟持部５１-2を他方の挟持部４９-1より長尺に形成したものである。
【００３２】
そして、本実施形態に係るプライヤー４１-2でスプリットリング１を開くと、図８のプライヤー４１-1と同様、爪５９，６１の傾斜面５９ａ，６１ａと爪６７の傾斜面６７ａとで鋼線３が保持されると共に、溝６９内で鋼線３が両挟持部４９-1，５１-1で挟持されるが、図８のプライヤー４１-1では、ハンドル部５３-1，５５-1の握り加減により鋼線３が爪６７の傾斜面６７ａに沿って挟持部５１-1の先端側にずれてしまう虞がある。
【００３３】
そこで、既述したように本実施形態は上記突出部７１を設けたもので、当該突出部７１が、傾斜面６７ａに沿った鋼線３の挟持部５１-2先端側へのずれを防止するようになっている。
尚、その他の構成は図８に示すプライヤー４１-1と同様であるので、同一のものには同一符号を付してそれらの説明は省略する。
【００３４】
而して、本実施形態に係るプライヤー４１-2によれば、上述したようにスプリットリング１を開いた際に、ハンドル部５３-1，５５-1の握り加減で鋼線３が爪６７の傾斜面６７ａに沿って挟持部５１-2の先端側にずれてしまうことがなく、因って、図８に示すプライヤー４１-1に比しより確実にスプリットリング１を開いた状態で安定して保持することが可能となる。
【００３５】
図１７及び図１８は請求項１乃至請求項３に係るプライヤーの第三実施形態を示し、本実施形態は図８の挟持部５１-1に代え、挟持部５１-3の先端に、他方の挟持部４９-1方向にＶ字状に突出する２つの同一形状の爪７３，７５を所定の間隙７７を開けて対向配置し、そして、一方の爪７３を爪５９，６１間の間隙６３に挿入可能とすると共に、爪７３，７５間の間隙７７に爪５９を挿入可能としたもので、挟持部５１-3の背面側先端は開口しており、図１８に示すように両挟持部４９-1，５１-3を閉じた際に、爪５９が挟持部５１-3の背面側先端に衝突することなく両挟持部４９-1，５１-3が互いに接合するようになっている。
【００３６】
そして、本実施形態に係るプライヤー４１-3でスプリットリング１を開くと、爪５９，６１の傾斜面５９ａ，６１ａと爪７３，７５の傾斜面７３ａ，７５ａで鋼線３が保持されると共に、溝６９内で鋼線３が両挟持部４９-1，５１-3で挟持され、合計５カ所でスプリットリング１がプライヤー４１-3に圧接して保持されるようになっている。
【００３７】
本実施形態はこのように構成されているから、図１９以下の従来例に比し多くの部位でスプリットリング１がプライヤー４１-3に圧接して保持され、釣針の止着や交換時にスプリットリング１に力が掛かっても、スプリットリング１が軸方向に傾くことなく両挟持部４９-1，５１-3間に確実に保持されることとなる。
従って、本実施形態に係るプライヤー４１-3によっても、釣針の止着や交換時にスプリットリング１を開いた状態で安定して保持することが可能となり、図１９以下の従来例に比し作業性の向上が図れることとなった。
【００３８】
また、本実施形態に係るプライヤー４１-3によれば、両挟持部４９-1，５１-3に爪５９，６１，７３，７５を設けたため、図１のプライヤー４１に比しスプリットリング１をその内外から容易に開くことができる利点を有する。
尚、スプリットリング保持用の溝は、例えば両挟持部４９-1，５１-1双方に設けてもよいし、挟持部５１-1側のみに設けてもよい。
【００３９】
【発明の効果】
以上述べたように請求項１に係るプライヤーによれば、一方の挟持部に設けた一対のＶ字状の爪が間隙を以って夫々スプリットリングの二重巻きされた鋼線の間を押し広げ、また、従来に比し多くの部位でスプリットリングがプライヤーに圧接して保持されるため、従来に比し釣針の止着や交換時にスプリットリングが容易に開き、そして、スプリットリングを開いた状態で安定して保持することが可能になるため、従来に比し作業性の向上が図れることとなった。
【００４０】
そして、請求項２に係る発明によっても、従来に比し多くの部位でスプリットリングがプライヤーに圧接して保持されるため、スプリットリングを開いた状態で安定して保持することが可能となって作業性の向上が図れることとなった。
而も、本発明によれば、両挟持部にＶ字状の爪を設けたため、スプリットリングをその内外から容易に開くことができる利点を有する。
また、請求項３に係る発明によれば、挟持部にスプリットリング保持用の溝を設けたため、スプリットリングを更に安定して保持することができる利点を有する。
【図面の簡単な説明】
【図１】請求項１の一実施形態に係るプライヤーの平面図である。
【図２】図１に示すプライヤーの側面図である。
【図３】図１に示すプライヤーの要部拡大斜視図である。
【図４】図１に示すプライヤーの使用状態の要部拡大斜視図である。
【図５】図２のＶ−Ｖ線断面図である。
【図６】図１に示すプライヤーの要部断面図である。
【図７】図１に示すプライヤーの使用状態の要部断面図である。
【図８】請求項１乃至請求項３の第一実施形態に係るプライヤーの平面図である。
【図９】図８に示すプライヤーの側面図である。
【図１０】図８に示すプライヤーの要部拡大斜視図である。
【図１１】図８に示すプライヤーの使用状態の要部拡大斜視図である。
【図１２】図９のＸII−ＸII線断面図である。
【図１３】図８に示すプライヤーの要部断面図である。
【図１４】図８に示すプライヤーの使用状態の要部断面図である。
【図１５】請求項１乃至請求項３の第二実施形態に係るプライヤーの要部拡大斜視図である。
【図１６】図１５に示すプライヤーの要部断面図である。
【図１７】請求項１乃至請求項３の第三実施形態に係るプライヤーの要部拡大斜視図である。
【図１８】図１７に示すプライヤーの要部断面図である。
【図１９】スプリットリングの全体斜視図である。
【図２０】従来のプライヤーの平面図である。
【図２１】図２０に示すプライヤーの要部拡大斜視図である。
【図２２】図２０に示すプライヤーの使用状態の要部拡大平面図である。
【図２３】従来の他のプライヤーの平面図である。
【図２４】図２３に示すプライヤーの要部拡大斜視図である。
【図２５】図２３に示すプライヤーの使用状態の要部拡大平面図である。
【図２６】図２３に示すプライヤーの使用状態の要部拡大平面図である。
【符号の説明】
４１，４１-1，４１-2，４１-3  プライヤー
４３，４３-1，４５，４５-1  杆体
４９，４９-1，５１，５１-1，５１-2，５１-3  挟持部
５３，５３-1，５５，５５-1  ハンドル部
５９，６１，６７，７３，７５  爪
６９  溝
７１  突出部
【図１】
0004163396.tif 000002
【図２】
0004163396.tif 000003
【図３】
0004163396.tif 000004
【図４】
0004163396.tif 000005
【図５】
0004163396.tif 000006
【図６】
0004163396.tif 000007
【図７】
0004163396.tif 000008
【図８】
0004163396.tif 000009
【図９】
0004163396.tif 000010
【図１０】
0004163396.tif 000011
【図１１】
0004163396.tif 000012
【図１２】
0004163396.tif 000013
【図１３】
0004163396.tif 000014
【図１４】
0004163396.tif 000015
【図１５】
0004163396.tif 000016
【図１６】
0004163396.tif 000017
【図１７】
0004163396.tif 000018
【図１８】
0004163396.tif 000019
【図１９】
0004163396.tif 000020
【図２０】
0004163396.tif 000021
【図２１】
0004163396.tif 000022
【図２２】
0004163396.tif 000023
【図２３】
0004163396.tif 000024
【図２４】
0004163396.tif 000025
【図２５】
0004163396.tif 000026
【図２６】
0004163396.tif 000027